(57)【要約】    【課題】  機能性とファッション性を兼ね備え、携帯便利な開脚防止用具を提供すること。    【解決手段】  開脚防止用具１は、湾曲部６Ａ、６Ｂを有する硬質バンド部材２Ａ、２Ｂが、結合用端部３Ａ、３Ｂにおいて幅広面を重ねて相互に回動自在に結合されてなる。硬質バンド部材２Ａ等は、結合用端部３Ａ等が開放端部４Ａ等よりも、湾曲部６Ａ等の中央位置５Ａ等からの距離が長く形成される。硬質バンド部材２Ａ等の両湾曲部６Ａ等は、回動平面の同じ側に位置するように結合される。【選択図】  図２
0003132396.tif 000002
【実用新案登録請求の範囲】
【請求項１】
湾曲部を有する硬質バンド部材二個が、それらの結合用端部において幅広面を重ねて相互に回動自在に結合されてなる開脚防止用具であって、該結合用端部がその反対側の端部である開放端部よりも、該湾曲部の中央位置からの距離が長いように該硬質バンド部材は形成され、両湾曲部が回動平面の同じ側に位置するように両硬質バンド部材が結合されていることを特徴とする、開脚防止用具。
【請求項２】
前記硬質バンド部材は、前記湾曲部と直線部が連続してなる略Ｊ字状形をなしていることを特徴とする、請求項１に記載の開脚防止用具。
【請求項３】
結合されている前記二個の硬質バンド部材のうち内側のものはその湾曲部を、回動により外側の硬質バンド部材の湾曲部に重ね合わせることができるように、両硬質バンド部材が形成されていることを特徴とする、請求項１または２に記載の開脚防止用具。
【請求項４】
前記両硬質バンド部材を最大に開いた場合、両開放端部間の距離は、本開脚防止用具の差し渡し長さの１０％以上９０％以下であることを特徴とする、請求項１ないし３のいずれかに記載の開脚防止用具。
【請求項５】
前記両硬質バンド部材を最大に開いた場合、両開放端部間の距離は、本開脚防止用具の差し渡し長さの３５％以上６５％以下であることを特徴とする、請求項１ないし３のいずれかに記載の開脚防止用具。
【考案の詳細な説明】
【技術分野】
【０００１】
本考案は開脚防止用具に係り、特に、使用者が椅子等に腰掛ける際において両脚が開くことを効果的に防止でき、かつ装着時のファッション性にも優れた、携帯便利な開脚防止用具に関するものである。
【背景技術】
【０００２】
椅子等に腰掛ける際、特にその姿勢が長くなる場合、疲労や緊張の弛緩等によって、自然に、意図せず両脚が開いてしまうことがある。特に女性の場合は男性と比べて、そのような姿勢の防止が望まれる。殊にスカート着用時にはその要請が強い。
【０００３】
このような開脚を防止すべく、これまでも複数の提案がなされている。後掲特許文献１、２に開示されている考案は、脚部に巻き付け可能で、不使用時にはロール状に巻いておけるようなゴム繊維製等のバンドを、当該目的に用いるというものである。
【０００４】
また、特許文献３に開示されている考案は、脚部を両外側から支持するためのＬ字状折曲げ部を備えた、略コの字状の大腿部安定化用装着具である。
【０００５】
【特許文献１】実開昭６２−１２９０２０「携帯用女性開脚防止帯」
【特許文献２】特開２０００−１９９１１４「両足を閉じるバンド」
【特許文献３】実用新案登録第３１２８１８７号「大腿部安定化用装着具」
【考案の開示】
【考案が解決しようとする課題】
【０００６】
しかし、特許文献１や２に提案されている帯状用具では、両脚部の全周を巻き付けて面ファスナー等により固定するものであるため、装身具としてはどうしても用具が目立ち過ぎるきらいがあり、ファッション性に問題がある。さらに、巻き付けて装着することは、サポーターの装着等、必要に迫られての装着行動を容易に連想させ、その点でも装身具としてのファッション性、嗜好性に問題がある。
また、特許文献３に提案されている用具は、脚部に巻き付けるものではないが、よけいにファッション性、嗜好性に乏しく、また携帯も便利とはいえない。
【０００７】
本考案が解決しようとする課題は、上記従来技術の問題点を解消し、機能性とファッション性・嗜好性を兼ね備えた、特に女性のための新規なる携帯可能な装身具として利用できる、開脚防止用具を提供することである。
【課題を解決するための手段】
【０００８】
本願考案者は上記課題について検討した結果、開閉自在の硬質バンドを用いることによって上記課題を解決できることを見出し、本考案に至った。すなわち、上記課題を解決するための手段として本願で実用新案登録請求される考案、もしくは少なくとも開示される考案は、以下の通りである。
【０００９】
（１）  湾曲部を有する硬質バンド部材二個が、それらの結合用端部において幅広面を重ねて相互に回動自在に結合されてなる開脚防止用具であって、該結合用端部がその反対側の端部である開放端部よりも、該湾曲部の中央位置からの距離が長いように該硬質バンド部材は形成され、両湾曲部が回動平面の同じ側に位置するように両硬質バンド部材が結合されていることを特徴とする、開脚防止用具。
（２）  前記硬質バンド部材は、前記湾曲部と直線部が連続してなる略Ｊ字状形をなしていることを特徴とする、（１）に記載の開脚防止用具。
（３）  結合されている前記二個の硬質バンド部材のうち内側のものはその湾曲部を、回動により外側の硬質バンド部材の湾曲部に重ね合わせることができるように、両硬質バンド部材が形成されていることを特徴とする、（１）または（２）に記載の開脚防止用具。
【００１０】
（４）  前記両硬質バンド部材を最大に開いた場合、両開放端部間の距離は、本開脚防止用具の差し渡し長さの１０％以上９０％以下であることを特徴とする、（１）ないし（３）のいずれかに記載の開脚防止用具。
（５）  前記両硬質バンド部材を最大に開いた場合、両開放端部間の距離は、本開脚防止用具の差し渡し長さの３５％以上６５％以下であることを特徴とする、（１）ないし（３）のいずれかに記載の開脚防止用具。
【考案の効果】
【００１１】
本考案の開脚防止用具は上述のように構成されるため、これによれば、機能性とファッション性・嗜好性をいずれも満足させることができる。つまり、用具自体は両脚全周を巻き付けるのではなく、その一部を覆うことのみによって、効果的に開脚を防止することができる。
【００１２】
特に本用具の開放端部が両脚部の表側となるように本用具を下側から装着した場合は、外観上、特に用具の一部のみが観察されるため、目立ち過ぎるということがない。それでいて従来よりも、ファッション性、嗜好性も優れている。
【００１３】
また、従来技術が、要するに形態としては単純な帯であったり、あるいは機能性重視の設計と思しき形態であるのに対し、本考案は課題解決手段として新規なる形態を提案したものであり、本考案はその基本構成に基づいて、形状・材質・模様・色彩等のデザインの開発可能性に富んだものであり、特に女性のための新規なる携帯可能な装身具としての市場を、新たに創出し拡大できる可能性が高い。
【考案を実施するための最良の形態】
【００１４】
以下、本考案を図面により説明する。
図１は、本考案の開脚防止用具の基本的構成を示すもので、両硬質バンド部材を開いた状態を示す平面視の説明図である。また、
図２は、図１に示す本考案開脚防止用具の両硬質バンド部材を開いた状態を示す上方斜視の説明図、
図３は、図１に示す本考案開脚防止用具の両硬質バンド部材を重ね合わせて閉じた状態を示す平面視の説明図である。
【００１５】
これらに図示するように本考案の開脚防止用具１は、湾曲部６Ａ、６Ｂを有する硬質バンド部材２Ａ、２Ｂが、それらの結合用端部３Ａ、３Ｂにおいて幅広面を重ねて相互に回動自在に結合されてなる用具である。そして硬質バンド部材２Ａは、その結合用端部３Ａが、反対側の端部である開放端部４Ａよりも、湾曲部６Ａの中央位置５Ａからの距離が長いように形成される。一方、硬質バンド部材２Ｂもまた、結合用端部３Ｂが、反対側の端部である開放端部４Ｂよりも、湾曲部６Ｂの中央位置５Ｂからの距離が長いように形成される。そして、硬質バンド部材２Ａ、２Ｂは、その両湾曲部６Ａ、６Ｂが、回動平面の同じ側に位置するように結合されていることを、主たる構成とする。
【００１６】
硬質バンド部材２Ａと２Ｂは、これらが回動自在に結合された状態で本用具１を構成して、使用者の脚部に装着した際に脚部の自然な弛緩、開脚による外側方向への力に対して、変形無く充分耐えるものである限り、その形状、材質、寸法、強度その他の物性が、必ずしも同一のものでなくてもよい。特に寸法に関しては、後述するように携帯便利な構成をとるためには、異なる寸法となることが当然ながら許容される。
【００１７】
硬質バンド部材２Ａ等は、これが使用者の脚部に装着された際に、脚部の自然な弛緩による開脚を有効に制止できるよう、かかる開脚の際の横方向の力に充分耐え、変形や破損が生じない程度の強度を有するものであれば、その材料、バンドの厚さやバンド面の幅といった寸法、湾曲部の曲率などには、一切限定されない。
【００１８】
つまり本考案用具１の硬質バンド部材２Ａ等は、従来技術（特許文献１、２）のような、脚部の全周を巻いて面ファスナー等の固定手段によって固定する方式に必要な可撓性・可変性のあるバンドではなく、特に面ファスナーやボタンなどの固定手段を用いることなく、硬質バンド部材そのものの強度によって、使用者の脚部を側方から支持するものである。
【００１９】
本考案開脚防止用具１の主要部分たる硬質バンド部材２Ａ等は、材料コスト、製造プロセス、デザイン開発、商品開発・商品展開などの各観点から、適宜の材料を用い、適宜のプロセスにより、自由にこれを形成することができる。これらの観点を総合し、たとえば、ＡＢＳ（アクリロニトリルーブタジエンースチレン共重合体）樹脂、ポリプロピレン樹脂、その他適宜の合成樹脂を、材料として好適に用いることができる。
【００２０】
また、硬質バンド部材２Ａ、２Ｂは、ともに同じ材料によって形成することが、製造プロセス上も、コストの点からも望ましいが、異なる材料を用いてそれらを結合して本考案用具とすることも、本考案の範囲から排除されない。
【００２１】
図示するように、本開脚防止用具１の硬質バンド部材２Ａ、２Ｂはいずれも、その側面形状が、湾曲部６Ａ等と直線部７Ａ等とが連続してなる略Ｊ字状である。これら二個の硬質バンド部材２Ａ、２Ｂが、その結合用端部３Ａ、３Ｂにおいて適宜の結合手段８によって、相互に回動自在に結合されている構造である。
【００２２】
結合手段８としては、たとえばネジ止め式を好適に用いることができるが、要するに結合手段８を中心として、各硬質バンド部材２Ａ、２Ｂが自由に回動できる手段や部材であれば、特に限定されず適宜のものを用いることができる。
【００２３】
図３に示すように、本開脚防止用具１は、内側の硬質バンド部材（図では２Ａ）の湾曲部（６Ａ）を、回動により外側の硬質バンド部材（２Ｂ）の湾曲部（６Ｂ）に重ね合わせ可能な構造とすることができる。かかる構成とすれば、不使用時には両硬質バンド部材２Ａ、２Ｂを閉じて重ね合わせ、全体のサイズを縮小することができ、携帯や保管に便利である。
【００２４】
図４〜６は、本考案の開脚防止用具の使用状態を示す説明図であり、このうち図４は、本用具の装着動作の途中の状態、
図５は、本用具の装着動作を完了した状態、
図６は、他の装着方法の例をそれぞれ示すものである。
【００２５】
図４、５に示すように、本開脚防止用具１は、膝を揃えた使用者脚部Ｌの下側を通して両脚部Ｌ、Ｌの周囲に回してはめる。本用具１は、その湾曲部６Ａ、６Ｂが、両脚部Ｌ、Ｌの各外側から前部の一部に掛け回された状態で脚部Ｌ、Ｌを押さえる。湾曲部６Ａ、６Ｂの端部すなわち開放端部４Ａ、４Ｂは脚部Ｌ、Ｌに対して内側向きとなるため、両膝の離れを側方から押さえつけ、開脚を有効に防止することができる。
【００２６】
上述の通り本開脚防止用具１は、硬質バンド部材２Ａ、２Ｂとも、その結合用端部３Ａ等が、反対側の端部である開放端部４Ａ等よりも、中央位置５Ａ等からの距離が長いように形成されているため、膝を揃えた両脚部Ｌ、Ｌの全周に亘って本用具１が装着されるのではなく、一部が開放される。
【００２７】
したがって、装着しやすいだけではなく、脚部Ｌ、Ｌに対する圧迫が少ないために圧迫感もなく、また疲労も少なく、長時間に亘って快適に装着を継続することができる。また、外観上も必要以上に目立つことがなく、それでいてさりげないファッション性を呈することができるため、殊に女性用の新たな装身具としても好ましいものである。
【００２８】
図６に示すように、本開脚防止用具１は、両脚部Ｌ、Ｌの上方からはめて用いてもよい。この方法によれば、両膝部の開きから開脚していく状況をより効果的に防止できる場合がある。たとえば長時間に亘る鉄道での移動等、着座姿勢が相当長時間に及ぶ場合などは、図５、図６に示した各装着方法を適宜に変えながら用いてもよい。
【００２９】
脚部回りのサイズ、また脚部各部位のサイズには個人差があるため、本用具は、ある程度のサイズ範囲に対応できる複数の型を提供することとしてもよい。また、同一の型の用具であっても、使用者の脚部サイズと適合する部位（たとえば膝近くとか、あるいは下腿部、上腿部とか）に合わせて装着するようにしてもよい。
【００３０】
図４等に示す例では、本開脚防止用具１は、両硬質バンド部材２Ａ、２Ｂを最大に開いた場合における両開放端部４Ａ、４Ｂ間の距離は、本用具１の差し渡し長さの約５０％の設計としてある。しかし本発明はこれに限定されない。しかしながら、本用具の機能を良好に発揮するためには、この値が、１０％以上９０％以下であることが望ましい。さらに、装着しやすさ、開脚防止効果等を総合的に勘案すれば、３５％以上６５％以下とすることがより望ましい。
【００３１】
本用具の硬質バンド部材２Ａ等の材質、形状その他の仕様等は自由に形成できることは上述の通りであるが、その具体的な形状、模様、色彩といった意匠的な態様はその如何に関わらず、本考案の範囲内であることはいうまでもない。要するに本考案の硬質バンド部材２Ａ等は、上述の各機能を発揮するための上述の構成を備えていればよいのであるから、たとえば形状面では、幅広面の形状は長方形状に限定されず曲線または直線が適宜に構成された図形、あるいはそのいずれかが適宜に構成された図形を呈するものでもよい。たとえば開放端部４Ａ等およびその近辺における形状についていえば、先端ほど細くする、曲線を用いて先端ほど滑らかに細くする、逆に先端部に膨らみを持たせる等、適宜工夫したものでもよい。
【００３２】
また、硬質バンド部材の厚さ方向の形状も、特に外側の面方向に適宜の凹凸を設けたものでもよい。その他、色彩、材料選択による質感を含む模様等のデザインを施した場合であっても、すべて本考案の範囲内である。
【００３３】
また、従来技術（上記特許文献１など）が脚部に巻き付ける仕様の可撓性の帯であることから、どうしても幅広のものとなって、ファッション性もそれに制約されるものであるところ、本考案開脚防止用具は各硬質バンド部材を相当狭い幅としても機能上問題がない上、ファッション性の制約がより少ない。そのため、ファッション性の追求による商品展開の自由度が高い。
【００３４】
硬質バンド部材の具体的な仕様例としては、たとえば、ＡＢＳ樹脂またはポリプロピレン樹脂等を用いて、長さ２５〜３０ｃｍ程度、巾２〜２．５ｃｍ程度、厚さ０．５ｃｍ程度のものを基本とした設計としてもよい。上掲図４〜６に示した例は、かかる仕様のものである。
【００３５】
またなお、本考案開脚防止用具は、各図を用いて説明した構成を基本として、これに他の要素を付加したものもすべて、その範囲とする。たとえば、樹脂製・木製・竹製・金属製・硬いゴム製といった適宜の材質からなる硬質バンド部材上に、適宜種類、適宜仕様の布や皮革・合成皮革等の部材が貼り付けられたもの、それが脚部に接する側の面を含め全体に設けられたもの、あるいは一部のみに設けられたもの、ボタン・フリル・その他の装飾的な付属物が付加されたもの、その他広く他の要素を付加したものすべて、本考案の範囲内である。
【産業上の利用可能性】
【００３６】
以上説明したように本考案の開脚防止用具は、使用者が椅子に座る場合の開脚防止という課題解決手段として新規なる形態を提案したものであり、特に女性のための新規なる携帯可能な装身具としての市場を、新たに創出し拡大できる可能性が高く、産業上利用可能性の高い考案である。
【図面の簡単な説明】
【００３７】
【図１】本考案の開脚防止用具の基本的構成を示すもので、両硬質バンド部材を開いた状態を示す平面視の説明図である。
【図２】図１に示す本考案開脚防止用具の両硬質バンド部材を開いた状態を示す上方斜視の説明図である。
【図３】図１に示す本考案開脚防止用具の両硬質バンド部材を重ね合わせて閉じた状態を示す平面視の説明図である。
【図４】本考案の開脚防止用具の使用状態を示す説明図であり、本用具の装着動作の途中の状態を示すものである。
【図５】本考案の開脚防止用具の使用状態を示す説明図であり、本用具の装着動作を完了した状態を示すものである。
【図６】本考案の開脚防止用具の使用状態を示す説明図であり、他の装着方法の例を示すものである。
【符号の説明】
【００３８】
１…開脚防止用具
２Ａ、２Ｂ…硬質バンド部材
３Ａ、３Ｂ…結合用端部
４Ａ、４Ｂ…開放端部
５Ａ、５Ｂ…湾曲部中央位置
６Ａ、６Ｂ…湾曲部
７Ａ、７Ｂ…直線部
８…結合手段
Ｌ…使用者の脚部
【図１】
0003132396.tif 000003
【図２】
0003132396.tif 000004
【図３】
0003132396.tif 000005
【図４】
0003132396.tif 000006
【図５】
0003132396.tif 000007
【図６】
0003132396.tif 000008